(57)【要約】【課題】シャワーホースの可動によってホース基端部が前向き姿勢で止まった場合でも、シャワーホースのホース基端部がカラン用吐出口の下方に位置しないようにエルボが自動的に回転し、これにより、使い勝手に優れ且つ構造がシンプルなシャワーホースの取付構造を提供する。【解決手段】開閉弁５の開閉により吐水状態と止水状態を切り替える給水装置本体の下面部に、シャワー用吐出口１６の前方Ｂにカラン用吐出口１５が位置するように両吐出口１５、１６を前後に並べて配設し、シャワー用吐出口１６にエルボ１８の縦管部１８ａを回動自在に接続し、先端部にシャワーヘッドを備えたシャワーホース１９のホース基端部１９ａをエルボ１８の横管部１８ｂに接続し、エルボ１８の縦管部１８ａの回動軸線Ｍを、前面視で垂直とし且つ側面視で上端から下端に行くほど前方Ｂに位置するように傾斜させた構成である。【選択図】図１
2010106476.tif 000002
【特許請求の範囲】
【請求項１】
開閉弁の開閉により吐水状態と止水状態を切り替える給水装置本体の下面部に、シャワー用吐出口の前方にカラン用吐出口が位置するように両吐出口が前後に並べて配設され、シャワー用吐出口にエルボの縦管部を回動自在に接続し、先端部にシャワーヘッドを備えたシャワーホースのホース基端部を該エルボの横管部に接続してなるシャワーホースの取付構造において、上記エルボの縦管部の回動軸線を、前面視で垂直とし且つ側面視で上端から下端に行くほど前方に位置するように傾斜させてなることを特徴とするシャワーホースの取付構造。
【請求項２】
上記給水装置本体の下面部におけるシャワー用吐出口が形成されるエルボ取付面を、前面視で水平とし且つ側面視で前端から後端に行く程下方に位置するように下り傾斜させると共に、上記エルボの回動軸線が該エルボ取付面に対して垂直となるようにエルボの縦管部をシャワー用吐出口に回動自在に接続してなることを特徴とする請求項１記載のシャワーホースの取付構造。
【発明の詳細な説明】
【技術分野】
【０００１】
本発明は、シャワーホースの取付構造に関し、詳しくはシャワーヘッドに湯水を供給するシャワーホースのホース基端部をエルボを介してシャワー用吐出口に対して回動自在に接続する技術に関するものである。
【背景技術】
【０００２】
従来から、水栓ユニットの下面部に、カラン用吐出口とシャワー用吐出口とを設けると共に、先端部にシャワーヘッドを備えたシャワーホースのホース基端部をエルボを介してシャワー用吐出口に対して回動自在に接続した湯水混合水栓が知られている（例えば、特許文献１、特許文献２参照）。
【０００３】
ところで、例えば図５に示すように、水栓ユニット本体Ａ１の下面部に、シャワー用吐出口１６の前方Ｂにカラン用吐出口１５が位置するように両吐出口１５、１６を前後に配置し、柔軟なシャワーホース１９のホース基端部１９ａをエルボ１８を介して垂直軸Ｍ１回りに回動自在に接続した構造においては、シャワーホース１９の可動によってエルボ１８が回動して、ホース基端部１９ａが前方Ｂに向いた姿勢で止まることがあり、この場合、カラン用吐出口１５から吐水する湯水がホース基端部１９ａに当たり、使いづらくなるという問題があった。
【特許文献１】特許第３４３６１０８号公報
【特許文献２】特開平１１−１５８９５６号公報
【発明の開示】
【発明が解決しようとする課題】
【０００４】
本発明は上記の従来の問題点に鑑みて発明したものであって、その目的とするところは、シャワーホースの可動によってホース基端部が前向き姿勢で止まった場合でも、シャワーホース側の重量によってエルボが自動的に回転してホース基端部がカラン用吐出口の下方から退避する方向に移動でき、使い勝手に優れ且つ構造がシンプルなシャワーホースの取付構造を提供することにある。
【課題を解決するための手段】
【０００５】
前記の課題を解決するために、本発明は、開閉弁５の開閉により吐水状態と止水状態を切り替える給水装置本体の下面部に、シャワー用吐出口１６の前方Ｂにカラン用吐出口１５が位置するように両吐出口１５、１６が前後に並べて配設され、シャワー用吐出口１６にエルボ１８の縦管部１８ａを回動自在に接続し、先端部にシャワーヘッドを備えたシャワーホース１９のホース基端部１９ａを該エルボ１８の横管部１８ｂに接続してなるシャワーホースの取付構造において、上記エルボ１８の縦管部１８ａの回動軸線Ｍを、前面視で垂直とし且つ側面視で上端から下端に行くほど前方Ｂに位置するように傾斜させてなることを特徴としている。
【０００６】
このような構成とすることで、シャワーホース１９の可動によってホース基端部１９ａが前向き姿勢で止まった状態では、カラン用吐出口１５の下方にホース基端部１９ａが位置するようになるが、このとき、エルボ１８の縦管部１８ａの回動軸線Ｍの傾斜によって横管部１８ｂに接続されたホース基端部１９ａは横管部１８ｂから離れる程上方に位置し、このシャワーホース１９側の重量Ｇによって縦管部１８ａを中心とする回転モーメントＮが加わることでエルボ１８の横管部１８ｂが前向きから横向きに自動的に回転する。これによりホース基端部１９ａがカラン用吐出口１５の下方から離れる方向へ移動し、カラン用吐出口１５から吐水する湯水がホース基端部１９ａに当たらないようにできる。
【０００７】
また、上記給水装置本体の下面部におけるシャワー用吐出口１６が形成されるエルボ取付面１７を、前面視で水平とし且つ側面視で前端から後端に行く程下方に位置するように下り傾斜させると共に、上記エルボ１８の回動軸線Ｍが該エルボ取付面１７に対して垂直となるようにエルボ１８の縦管部１８ａをシャワー用吐出口１６に回動自在に接続するのが好ましく、この場合、エルボ１８の回動軸線Ｍの傾斜をエルボ取付面１７の傾斜を利用して比較的簡易に実現できる。
【発明の効果】
【０００８】
本発明は、シャワーホースのホース基端部がエルボを介してシャワー用吐出口に回動自在に接続された構造において、ホース基端部が前方に向いた姿勢で止まったときは、シャワーホース側の重量によってホース基端部がカラン用吐出口を避ける方向にエルボが自動的に回転することにより、カラン用吐出口から吐水する湯水がホース基端部に当たるのを回避できる結果、エルボの回動軸線を傾斜させるだけの比較的簡易な構造で、使い勝手を良好にできるものである。
【発明を実施するための最良の形態】
【０００９】
以下、本発明を添付図面に示す実施形態に基いて説明する。
【００１０】
浴室で使用される湯温調整機能付き給水装置Ａの水栓ユニット６は、図３、図４に示すように、カウンター１３（或いは壁面等）に対して取り付ける取付け金具７と、該取付け金具７に取り付ける湯温調整ユニット３と、水栓ユニット６とで構成してある。
【００１１】
上記湯温調整ユニット３は、軸方向の一側端が閉塞し軸方向の他側端が開口した第１シリンダ１内に湯調モジュールを構成する湯温調整装置２を挿入し、且つ、第１シリンダ１の軸方向の一側端部の外側に湯温調整装置２の第１操作部８を設けてあり、この第１操作部８は第１シリンダ４の軸芯を中心に回動操作自在となっている。さらに第１シリンダ１には、湯温調整装置よりも下流側となる混合された湯水の出口部（図示せず）が後方に向けて突設してある。
【００１２】
上記水栓ユニット６は、第１シリンダ１とは別の第２シリンダ４内に、制御モジュールを構成する一対の開閉弁５を備えたもので、第２シリンダ４の下面部には、上流が各開閉弁５を介して第１シリンダ１の出口部に連通する２つの湯水の出口部が前後に並べて設けてあり、前方Ｂがカラン用吐出口１５となり、後方がシャワー用吐出口１６となっている。また、各開閉弁５を操作する２つの操作部（第２操作部９、第３操作部９ａ）は、第２シリンダ４の軸芯を中心に回動操作自在となっている。ここでは上記第１〜第３操作部８,９,９ａのそれぞれの上面は、カウンター１３の前方Ｂにカウンター１３と略面一に突出する平面状に形成されている。
【００１３】
上記第１操作部８を操作することで、水流入用接続部１０、湯流入用接続部１１から湯温調整ユニット３内に流入する水と湯との混合割合を湯温調整装置２で調整して、湯温調整を行なうようになっている。
【００１４】
湯温調整ユニット３の湯温調整装置２で湯水の混合が調整された湯温調整済みの湯水は、接続管１２を経て水栓ユニット６の第２シリンダ４内に供給される。
【００１５】
そして、一方の開閉弁５側に位置する第２操作部９を回動操作することで、該一方の開閉弁５の開閉及び開度合いの調整（吐出量の調整）を行ない、カラン用吐出口１５からの湯水の吐水、又は吐水停止、吐水時の吐水量の調整を行なう。
【００１６】
また他方の開閉弁５側に位置する第３操作部９ａを回動操作することで、該他方の開閉弁５の開閉及び開度合いの調整（吐出量の調整）を行ない、シャワーホース１９の先端部に設けたシャワーヘッド（図示せず）からの湯水の吐水、又は吐水停止、吐水時の吐水量の調整を行なう。なお図中の１４は各操作部８,９,９ａと同じ板状をしたダミー操作部である。
【００１７】
ここで本発明においては、図１、図２に示すように、カラン用吐出口１５の後方にシャワー用吐出口１６が位置するように両吐出口１５、１６が前後に並べて配設されている。シャワー用のエルボ１８は、縦管部１８ａと横管部１８ｂとで略Ｌ字形に形成されており、縦管部１８ａの上端に回転自在に装着した袋ナット３０をシャワー用吐出口１６側に螺合して接続してあり、これによりエルボ１８の縦管部１８ａはシャワー用吐出口１６に対して回動自在に接続される。さらに縦管部１８ａの回動軸線Ｍは、図１（ａ）の左側から見た前面視で垂直とし且つ図１（ａ）の紙面に対して垂直な方向から見た側面視で上端から下端に行くほど前方Ｂに位置するように傾斜させてある（すなわち、上端から下端に行く程後方に位置するように傾斜させてある）。本例では、水栓ユニット本体Ａ１の下面部におけるシャワー用吐出口１６が形成されるエルボ取付面１７を、前面視で水平とし且つ側面視で前端（図１（ａ）の左側）から後端（図１（ａ）の右側）に行く程下方に位置するように下り傾斜させると共に、縦管部１８ａの回動軸線Ｍが該エルボ取付面１７に対して垂直となるように縦管部１８ａをシャワー用吐出口１６に接続してある。
【００１８】
上記エルボ１８の横管部１８ｂには、先端部にシャワーヘッドを備えたシャワーホース１９のホース基端部１９ａが接続されており、ホース基端部１９ａは縦管部１８ａの回動軸線Ｍ回りに前方Ｂと左右の横方向Ｃとの間で首振り自在となっている。
【００１９】
しかして、上記構成のエルボ１８の縦管部１８ａの回動軸線Ｍが前面視で垂直で且つ側面視で上端から下端に行くほど前方Ｂに位置するように傾斜しているので、シャワーホース１９の可動によってエルボ１８が前向き姿勢で止まった状態（図1（ａ）の状態）では、カラン用吐出口１５の下方にホース基端部１９ａが位置するようになるが、このとき、縦管部１８ａの回動軸線Ｍの傾斜によって横管部１８ｂに接続されたホース基端部１９ａは横管部１８ｂから離れる程上方に位置し、このシャワーホース１９側の重量Ｇによってエルボ１８には縦管部１８ａを中心として前向き姿勢から横向き姿勢へ回転させる回転モーメントＮ（図１（ｂ））が加わる。これによりホース基端部１９ａがカラン用吐出口１５の下方から離れる方向へエルボ１８が自動的に回転し、カラン用吐出口１５から吐水する湯水がホース基端部１９ａに当たらなくなり、使い勝手が向上する。しかもエルボ１８の回動軸線Ｍを傾斜させるだけの比較的シンプルな構成で済む利点もある。
【００２０】
また本例では、シャワー用吐出口１６が形成されるエルボ取付面１７を傾斜させるだけで、エルボ１８の回動軸線Ｍの傾斜を比較的簡易な構造で実現できる利点もある。
【００２１】
なお、前記実施形態では、エルボ取付面１７を傾斜させることでエルボ１８の回動軸線Ｍを傾斜させる場合を説明したが、これに限らず、例えばエルボ取付面１７を水平面とし、シャワー用吐出口１６の中心軸を側面視で上端から下端に行くほど前方Ｂに位置するように傾斜させる構成であってもよい。
【図面の簡単な説明】
【００２２】
【図１】本発明の一実施形態の湯温調整機能付き給水装置の水栓ユニットにおけるシャワーホース取付構造の一例を示し、（ａ）はエルボの回動軸線を説明する側面図、（ｂ）はシャワーホース側の重量によってエルボに加わる回転モーメントを説明する平面図である。
【図２】同上の水栓ユニット本体の下面部に設けられるカラン用吐出口、シャワー用吐出口に接続されるエルボ及びシャワーホースを下側から見た斜視図である。
【図３】同上の湯温調整ユニット、水栓ユニット、操作部の斜視図である。
【図４】同上の湯温調整ユニット、水栓ユニット、操作部、カウンターの分解斜視図である。
【図５】参考例の説明図である。
【符号の説明】
【００２３】
５  開閉弁
１５  カラン用吐出口
１６  シャワー用吐出口
１７  エルボ取付面
１８  エルボ
１８ａ  縦管部
１８ｂ  横管部
１９  シャワーホース
１９ａ  ホース基端部
Ａ  湯温調整機能付き給水装置
Ａ１  水栓ユニット本体
Ｂ  前方
Ｍ  回動軸線
【図１】
2010106476.tif 000003
【図２】
2010106476.tif 000004
【図３】
2010106476.tif 000005
【図４】
2010106476.tif 000006
【図５】
2010106476.tif 000007